(57)【要約】【課題】  マイコン等の制御装置を使用することなく、かつ、温度変化に応じて連続的にファンの回転速度を変化させることができるファン制御装置を提供すること。【解決手段】  ファン制御装置１は、ファン５にファン駆動電圧を供給するファン制御装置１であって、ａＴ＋ｂ（Ｔは温度、ａは比例定数、ｂはオフセット）で表される温度に比例した出力電圧Ｖｓを出力する温度センサ２と、温度センサ２の出力電圧Ｖｓと、所定のオフセット電圧Ｖｏｆｆｓｅｔとを加算する加算回路３と、加算回路３の出力電圧を所定利得Ｇで増幅してファン駆動電圧Ｖｏｕｔを出力する増幅回路４とを備える。【選択図】図１
2010093215.tif 000002
【特許請求の範囲】
【請求項１】
ファンにファン駆動電圧を供給するファン制御装置であって、
ａＴ＋ｂ（Ｔは温度、ａは比例定数、ｂはオフセット）で表される温度に比例した出力電圧Ｖｓを出力する温度センサと、
前記温度センサの出力電圧Ｖｓと、所定のオフセット電圧Ｖｏｆｆｓｅｔとを加算する加算手段と、
前記加算手段の出力電圧を所定利得Ｇで増幅して前記ファン駆動電圧Ｖｏｕｔを出力する増幅手段とを備える、ファン制御装置。
【請求項２】
前記増幅手段がオペアンプと、第１抵抗と、第２抵抗とを含み、
前記加算手段が前記オフセット電圧Ｖｏｆｆｓｅｔを供給する電圧源と、第３抵抗と、第４抵抗とを含み、
前記オペアンプの非反転入力端子が、前記第３抵抗を介して前記温度センサの出力端子に接続され、かつ、前記第４抵抗を介して前記電圧源に接続され、
前記オペアンプの反転入力端子が、前記第１抵抗を介して接地電位に接続され、かつ、前記第２抵抗を介して前記オペアンプの出力端子に接続されている、請求項１に記載のファン制御装置。
【請求項３】
前記ファンがファン駆動電圧Ｖ１ｆａｎ〜Ｖ２ｆａｎ（但し、Ｖ１ｆａｎ＜Ｖ２ｆａｎ）で駆動可能であり、前記温度センサが検出すべき温度がＴ１〜Ｔ２（但し、Ｔ１＜Ｔ２）である場合に、温度Ｔ１に対応する前記加算手段の出力電圧ａＴ１＋ｂ＋Ｖｏｆｆｓｅｔを前記増幅手段によって増幅するとＶ１ｆａｎと等しく、温度Ｔ２に対応する前記加算手段の出力電圧ａＴ２＋ｂ＋Ｖｏｆｆｓｅｔを前記増幅手段によって増幅するとＶ２ｆａｎと等しくなるように、前記増幅手段の利得Ｇが設定されている、請求項１または２に記載のファン制御装置。
【請求項４】
前記ファンがファン駆動電圧Ｖ１ｆａｎ〜Ｖ２ｆａｎ（但し、Ｖ１ｆａｎ＜Ｖ２ｆａｎ）で駆動可能であり、前記温度センサが検出すべき温度がＴ１〜Ｔ２（但し、Ｔ１＜Ｔ２）である場合に、前記増幅手段の利得Ｇが以下の式Ａで設定されている、請求項１〜３のいずれかに記載のファン制御装置。
Ｇ＝（Ｖ２ｆａｎ−Ｖ１ｆａｎ）／（ａＴ２−ａＴ１）    （式Ａ）
【請求項５】
前記ファンがファン駆動電圧Ｖ１ｆａｎ〜Ｖ２ｆａｎ（但し、Ｖ１ｆａｎ＜Ｖ２ｆａｎ）で駆動可能であり、前記温度センサが検出すべき温度がＴ１〜Ｔ２（但し、Ｔ１＜Ｔ２）である場合に、温度Ｔ１に対応する前記加算手段の出力電圧ａＴ１＋ｂ＋Ｖｏｆｆｓｅｔを前記増幅手段によって増幅するとＶ１ｆａｎと等しくなるように前記オフセット電圧が設定されている、請求項１〜４のいずれかに記載のファン制御装置。
【請求項６】
前記ファンがファン駆動電圧Ｖ１ｆａｎ〜Ｖ２ｆａｎ（但し、Ｖ１ｆａｎ＜Ｖ２ｆａｎ）で駆動可能であり、前記温度センサが検出すべき温度がＴ１〜Ｔ２（但し、Ｔ１＜Ｔ２）である場合に、前記オフセット電圧Ｖｏｆｆｓｅｔが以下の式Ｂで設定されている、請求項２に記載のファン制御装置。但し、Ｒ１は前記第１抵抗の抵抗値、Ｒ２は前記第２抵抗の抵抗値である。
【数１】
2010093215.tif 000008
【発明の詳細な説明】
【技術分野】
【０００１】
本発明は、温度に応じてファンの回転速度を制御するファン制御装置に関する。
【背景技術】
【０００２】
ＡＶアンプやＨＤＤレコーダ等のオーディオ機器やＰＣ等において、内部に設けられた発熱部材（例えば、ＣＰＵ、ＨＤＤ、パワートランジスタ等）を放熱するためにファンが設けられている。機器内部の温度に応じてファンの回転速度を変化させるために、一般的には、サーミスタ等の温度センサが設けられている。サーミスタは温度によって抵抗値が変化するので、サーミスタの出力電圧をマイコンが監視し、マイコンからの制御信号によってファンの回転速度を制御している。しかし、この場合には、マイコンによる制御を行うためにマイコンのプログラムを設計する必要が生じる。また、マイコンでの制御の場合、一般的にはファンの回転速度は高速、中速、低速等の数段階の変更のみであり、温度変化に応じて連続的にファンの回転速度を変更することはできない。その結果、ある程度温度が上昇した後にファンの回転速度が中速から高速に変更された後、ある程度温度が下降するまでファンの回転速度が高速に維持されるので、無駄な消費電力が生じているという問題がある。
【０００３】
下記特許文献１は、以下のファン制御装置を記載する。比較器７６の出力電圧Ｖ５がＨレベルになっていると、サーミスタ２６に出力電圧Ｖ５のＨレベルに対応した一定電圧が加わっており、このためサーミスタ２６を流れる電流Ｉo は装置内部の環境温度に応じたサーミスタ２６の抵抗値に応じて変化する。サーミスタ２６の抵抗値は、温度の増加に対しほぼ反比例する関係にある。また第１トランジスタ９２に流れるベース電流Ｉb1は、サーミスタ２６を流れる電流Ｉo
と相反する関係にある。このため、環境温度が低くてサーミスタ２６の電流Ｉo が抵抗値の増加により少なくなるとトランジスタ９２に流れ込むベース電流Ｉb1が増加する。ベース電流Ｉb1が増加すると、トランジスタ９２に流れるコレクタ電流Ｉc1が増加する。ここでバイアス抵抗１００に流れるＩ1 はトランジスタと、トランジスタ９２のコレクタ電流Ｉc1、トランジスタ９４のベース電流Ｉb2はＩ1 ＝Ｉc1＋Ｉb2の関係にある。したがって、トランジスタ９２のコレクタ電流Ｉc1が増加すると逆にトランジスタ９４のベース電流Ｉb2が減少し、冷却ファン２０のファンモータ２２に流すトランジスタ９４のコレクタ電流Ｉc2が減少する。即ち、サーミスタ２６で検出した環境温度が低いとファンモータ２２に流れるトランジスタ９４のコレクタ電流Ｉc2が減少し、冷却ファン２０に設けているファン２４の回転数が低下する。逆に環境温度が上昇するとサーミスタ２６の抵抗値は低下して電流Ｉo が増加し、ベース電流Ｉb1は減少する。このためトランジスタ９２のコレクタ電流Ｉc1も減少するが、トランジスタ９４のベース電流Ｉb2は増加するようになる。このためトランジスタ９４のコレクタ電流Ｉc2が増加し、環境温度が高い場合には冷却ファン２０の回転数が増加する。
【０００４】
しかし、特許文献１のファン制御装置は、トランジスタ９２がオン状態になると、トランジスタ９４とツェナーダイオードとの定電圧回路となり、ファンを駆動させる電圧はトランジスタ９２に接続されているツェナーダイオードによって固定される。また、トランジスタ９２がオフ状態の場合はファンを駆動させる電圧はほぼ＋１２Ｖになる。つまり、ファンを駆動させる電圧はスイッチして切り替えられており、同様に、温度変化に応じて連続的にファンの回転速度を変更することができない。
【特許文献１】特開２００１−２８４８６８号公報
【発明の開示】
【発明が解決しようとする課題】
【０００５】
本発明は上記従来の課題を解決するためのものであり、その目的は、マイコン等の制御装置を使用することなく、かつ、温度変化に応じて連続的にファンの回転速度を変化させることができるファン制御装置を提供することである。
【課題を解決するための手段】
【０００６】
本発明の好ましい実施形態によるファン制御装置は、ファンにファン駆動電圧を供給するファン制御装置であって、ａＴ＋ｂ（Ｔは温度、ａは比例定数、ｂはオフセット）で表される温度に比例した出力電圧Ｖｓを出力する温度センサと、前記温度センサの出力電圧Ｖｓと、所定のオフセット電圧Ｖｏｆｆｓｅｔとを加算する加算手段と、前記加算手段の出力電圧を所定利得Ｇで増幅して前記ファン駆動電圧Ｖｏｕｔを出力する増幅手段とを備える。
【０００７】
温度センサが温度に比例した出力電圧を出力するので、増幅手段は温度に比例したファン駆動電圧を出力することができる。従って、ファン駆動電圧を温度に応じて連続的に変化させることができるので、温度の変化に応じてファンの回転速度を連続的に変化させることができる。また、温度センサからの温度に比例した出力電圧を増幅手段が増幅してファン駆動電圧を生成しているので、マイコンを使用することなく、ファンの回転速度を制御することができる。また、加算手段が、温度センサの出力電圧にオフセット電圧を加算するので、温度が低い場合にファン駆動電圧がファンの最低駆動電圧を下回わり、ファンを駆動できないことを防止することができる。
【０００８】
好ましい実施形態においては、前記増幅手段がオペアンプと、第１抵抗と、第２抵抗とを含み、前記加算手段が前記オフセット電圧Ｖｏｆｆｓｅｔを供給する電圧源と、第３抵抗と、第４抵抗とを含み、前記オペアンプの非反転入力端子が、前記第３抵抗を介して前記温度センサの出力端子に接続され、かつ、前記第４抵抗を介して前記電圧源に接続され、前記オペアンプの反転入力端子が、前記第１抵抗を介して接地電位に接続され、かつ、前記第２抵抗を介して前記オペアンプの出力端子に接続されている。
【０００９】
好ましい実施形態においては、前記ファンがファン駆動電圧Ｖ１ｆａｎ〜Ｖ２ｆａｎ（但し、Ｖ１ｆａｎ＜Ｖ２ｆａｎ）で駆動可能であり、前記温度センサが検出すべき温度がＴ１〜Ｔ２（但し、Ｔ１＜Ｔ２）である場合に、温度Ｔ１に対応する前記加算手段の出力電圧ａＴ１＋ｂ＋Ｖｏｆｆｓｅｔを前記増幅手段によって増幅するとＶ１ｆａｎと等しく、温度Ｔ２に対応する前記加算手段の出力電圧ａＴ２＋ｂ＋Ｖｏｆｆｓｅｔを前記増幅手段によって増幅するとＶ２ｆａｎと等しくなるように、前記増幅手段の利得Ｇが設定されている。
【００１０】
この場合、温度センサの出力電圧の範囲をファン駆動電圧の範囲に対応させるように、増幅手段が加算手段の出力電圧を増幅することができる。
【００１１】
好ましい実施形態においては、前記ファンがファン駆動電圧Ｖ１ｆａｎ〜Ｖ２ｆａｎ（但し、Ｖ１ｆａｎ＜Ｖ２ｆａｎ）で駆動可能であり、前記温度センサが検出すべき温度がＴ１〜Ｔ２（但し、Ｔ１＜Ｔ２）である場合に、前記増幅手段の利得Ｇが以下の式Ａで設定されている、請求項１〜３のいずれかに記載のファン制御装置。
Ｇ＝（Ｖ２ｆａｎ−Ｖ１ｆａｎ）／（ａＴ２−ａＴ１）    （式Ａ）
【００１２】
この場合、温度センサの出力電圧の範囲をファン駆動電圧の範囲に対応させるように、増幅手段が加算手段の出力電圧を増幅することができる。
【００１３】
好ましい実施形態においては、前記ファンがファン駆動電圧Ｖ１ｆａｎ〜Ｖ２ｆａｎ（但し、Ｖ１ｆａｎ＜Ｖ２ｆａｎ）で駆動可能であり、前記温度センサが検出すべき温度がＴ１〜Ｔ２（但し、Ｔ１＜Ｔ２）である場合に、温度Ｔ１に対応する前記加算手段の出力電圧ａＴ１＋ｂ＋Ｖｏｆｆｓｅｔを前記増幅手段によって増幅するとＶ１ｆａｎと等しくなるように前記オフセット電圧が設定されている。
【００１４】
この場合、温度がＴ１である場合に、前記増幅手段の出力電圧がファンの最低駆動電圧Ｖ１ｆａｎを下回ってファンを駆動できないということを防止できる。
【００１５】
好ましい実施形態においては、前記ファンがファン駆動電圧Ｖ１ｆａｎ〜Ｖ２ｆａｎ（但し、Ｖ１ｆａｎ＜Ｖ２ｆａｎ）で駆動可能であり、前記温度センサが検出すべき温度がＴ１〜Ｔ２（但し、Ｔ１＜Ｔ２）である場合に、前記オフセット電圧Ｖｏｆｆｓｅｔが以下の式Ｂで設定されている。但し、Ｒ１は前記第１抵抗の抵抗値、Ｒ２は前記第２抵抗の抵抗値である。
【数２】
2010093215.tif 000003
【００１６】
この場合、温度がＴ１である場合に、前記増幅手段の出力電圧がファンの最低駆動電圧Ｖ１ｆａｎを下回ってファンを駆動できないということを防止できる。
【発明の効果】
【００１７】
本発明によると、マイコン等の制御装置を使用することなく、かつ、温度変化に応じて連続的にファンの回転速度を変化させることができる。
【発明を実施するための最良の形態】
【００１８】
以下、本発明の好ましい実施形態について、図面を参照して具体的に説明するが、本発明はこれらの実施形態には限定されない。図１は、本発明の好ましい実施形態によるファン制御装置１を示す概略回路図である。ファン制御装置１は、温度センサ２と、加算回路３と、増幅回路４と、ファン５とを備えている。また、ファン制御装置１は、必要に応じて、トランジスタＱ１をさらに備えている。ファン制御装置１は、一般的器には、オーディオ機器やＰＣ等の電子機器内部に設けられている。
【００１９】
温度センサ２は、温度センサ周囲の温度を検出し、周囲の温度に比例した出力電圧を出力する素子である。つまり、温度センサ２は、出力電圧Ｖｓ＝ａＴ＋ｂ（式１）を出力する。但し、Ｔは温度センサ２の周囲温度（電子機器内部の温度）、ａは比例定数、ｂはＤＣオフセットである。
【００２０】
本実施形態で使用される温度センサ２は、例えば、National Semiconductor社製のＬＭ６１という製品名で市販されている。ＬＭ６１は、単一正電源で動作し、−３０℃〜＋１００℃の温度範囲を検出できる高精度温度センサＩＣである。ＬＭ６１の出力電圧は、摂氏温度にリニアに比例（＋０．０１Ｖ／℃）しており、内部に０．６ＶのＤＣオフセットを有している。すなわち、ＬＭ６１の場合には、上記式１において、Ｖｓ＝０．０１Ｔ＋０．６（単位はＶ）  （式２）となる。
【００２１】
温度センサ２は３つの端子を有しており、１つの端子には例えば２．７Ｖ〜１０Ｖの電源電圧Ｖｃが供給され、もう１つの端子は接地電位に接続されている。残りの端子は、加算回路３の抵抗Ｒ３の一端に接続されており、出力電圧Ｖｓを出力する。
【００２２】
加算回路３は、温度センサ２の出力電圧Ｖｓにオフセット電圧Ｖｏｆｆｓｅｔを加算して、増幅回路４のオペアンプＯＰ１に出力する回路である。加算回路３は、オフセット電圧Ｖｏｆｆｓｅｔを供給する電圧源Ｖ１と、抵抗Ｒ３、Ｒ４とを含む。電圧源Ｖ１の負側は接地電位に接続され、その正側は抵抗Ｒ４の一端に接続されている。抵抗Ｒ４の他端は、抵抗Ｒ３の他端とオペアンプＯＰ１の非反転入力端子に接続されている。つまり、電圧源Ｖ１と温度センサ２の出力端子とは加算回路３において加算されるためにワイアードオア接続されている。
【００２３】
増幅回路４は、加算回路３からの出力電圧（つまり、温度センサ２の出力電圧とオフセット電圧Ｖｏｆｆｓｅｔとを加算した電圧）を所定の利得Ｇで増幅して、ファン５を駆動するためのファン駆動電圧Ｖｏｕｔを生成する回路である。増幅回路４は、オペアンプＯＰ１を用いた非反転増幅回路から構成されている。増幅回路４は、オペアンプＯＰ１と、抵抗Ｒ１、Ｒ２、Ｒ５と、コンデンサＣ１とを有する。
【００２４】
オペアンプＯＰ１の非反転入力端子は抵抗Ｒ３、Ｒ４の各他端に接続されている。オペアンプＯＰ１の反転入力端子は、抵抗Ｒ１を介して接地電位に接続され、かつ、抵抗Ｒ２を介してオペアンプＯＰ１の出力端子に接続されている。コンデンサＣ１は抵抗Ｒ２に並列接続されている。オペアンプＯＰ１の出力端子は、抵抗Ｒ５を介してトランジスタＱ１のベースに接続されている。
【００２５】
トランジスタＱ１は、オペアンプＯＰ１が電圧増幅できるが電流を流せない素子である場合に、オペアンプＯＰ１から出力されるファン駆動電圧Ｖｏｕｔに基づいてファン５に電流を流すための素子である。トランジスタＱ１は、ベースが抵抗Ｒ５を介してオペアンプＯＰ１の出力端子に接続され、コレクタが電源Ｖｂに接続され、エミッタがファン５（詳細にはファン５のモータ）に接続されている。従って、オペアンプＯＰ１から出力されるファン駆動電圧Ｖｏｕｔに比例して、トランジスタＱ１からファン５に供給される電流が変化する。
【００２６】
ファン５は、増幅回路４からのファン駆動電圧Ｖｏｕｔ（詳細にはファン駆動電圧に基づく電流）に応じて内蔵のフィンを回転動作させることによって、電子機器の内部を放熱するものである。ファン５は、供給される電圧（電流）に比例して回転速度を変更する。
【００２７】
ファン制御装置１の動作を説明する。温度センサ２は、周囲温度に比例した出力電圧Ｖｓ＝ａＴ＋ｂを出力し、加算回路３が出力電圧Ｖｓにオフセット電圧Ｖｏｆｆｓｅｔを加算して、ａＴ＋ｂ＋ＶｏｆｆｓｅｔをオペアンプＯＰ１の非反転入力端子に供給する。増幅回路４は、加算回路３から供給された電圧を所定の利得Ｇで増幅して、トランジスタＱ１のベースにファン駆動電圧Ｖｏｕｔ（＝Ｇ（ａＴ＋ｂ＋Ｖｏｆｆｓｅｔ））として供給する。トランジスタＱ１は、増幅回路４から供給されたベース電圧に比例してファンに電流を供給する。その結果、増幅回路４が出力するファン駆動電圧に比例してファン５の回転速度が制御されるので、温度センサ２で検出される周囲温度に応じて連続的にファンの回転速度を変更することができる。
【００２８】
［増幅回路４の利得］
次に、増幅回路４の利得Ｇについてその条件を説明する。ここで、ファン５の駆動電圧の範囲はＶ１ｆａｎ（最低駆動電圧）〜Ｖ２ｆａｎ（＞Ｖ１ｆａｎ、最高駆動電圧）（単位はＶ）であるとし、温度センサ２で検出すべき周囲温度の範囲がＴ１（最低検出温度）〜Ｔ２（＞Ｔ１、最高検出温度）（単位は℃）であるとする。図２は、ファン５を駆動するための利得Ｇを決定するためのＶｓとＶｏｕｔｏとの関係を示すグラフであり、横軸にＶｓを縦軸にＶｏｕｔを示す。周囲温度Ｔ１〜Ｔ２℃の範囲で、ファン５の回転速度を連続的に変化させる場合には、ＶｓがａＴ１＋ｂ（温度Ｔ１℃に対応）のときにＶｏｕｔがファン５の最低駆動電圧であるＶ１ｆａｎとなり（ファン５の回転速度が最低速度になり）、ＶｓがａＴ２＋ｂ（温度がＴ２℃に対応）のときにＶｏｕｔがファン５の最大駆動電圧であるＶ２ｆａｎとなる（ファン５の回転速度が最高速度になる）必要がある。
【００２９】
すなわち、温度Ｔ１に対応する加算回路３の出力電圧ａＴ１＋ｂ＋Ｖｏｆｆｓｅｔを増幅回路４によって増幅するとＶ１ｆａｎと等しく、温度Ｔ２に対応する加算回路３の出力電圧ａＴ２＋ｂ＋Ｖｏｆｆｓｅｔを増幅回路４によって増幅するとＶ２ｆａｎと等しくなるように、増幅回路４の利得Ｇが設定されている。
【００３０】
以上の条件を考慮すると、増幅回路４の利得Ｇは以下の式３によって決定される。
Ｇ＝Ｖｏｕｔ／Ｖｓ＝（Ｖ２ｆａｎ−Ｖ１ｆａｎ）／（ａＴ２−ａＴ１）  （式３）
ここで、Ｔ１＝０℃、Ｔ２＝１００℃であるとすると、式３は以下の式４になる。
Ｇ＝（Ｖ２ｆａｎ−Ｖ１ｆａｎ）／１００ａ  （式４）
また、Ｖ１ｆａｎ＝６Ｖ、Ｖ２ｆａｎ＝１２Ｖであるとし、温度センサ２がＬＭ６１の場合、ａ＝０．０１であるので、式４にこれらの値を代入すると利得は以下の値になる。
利得Ｇ＝（１２−６）／１００×０．０１＝６  （式５）
【００３１】
［オフセット電圧Ｖｏｆｆｓｅｔ］
オフセット電圧Ｖｏｆｆｓｅｔは、周囲温度がＴ１℃のときにファン駆動電圧Ｖｏｕｔがファン５を駆動できない（つまり回転速度が０になる）電圧にならないように温度センサ２の出力電圧Ｖｓに加算される電圧である。すなわち、温度Ｔ１に対応する加算回路３の出力電圧ａＴ１＋ｂ＋Ｖｏｆｆｓｅｔを増幅回路４によって増幅するとＶ１ｆａｎと等しくなるようにオフセット電圧が設定される。例えば、Ｔ１（＝０）℃のときに、Ｖｏｕｔが６Ｖになるようにオフセット電圧Ｖｏｆｆｓｅｔが決定される。
【００３２】
まず、オフセット電圧Ｖｏｆｆｓｅｔに関して以下の式６が決定される。
【数３】
2010093215.tif 000004
【００３３】
ここで、Ｒ３＝Ｒ４に設定すると、式６は以下の式７に変形される。
【数４】
2010093215.tif 000005
【００３４】
Ｖｓ＝ａＴ１＋ｂのときにＶｏｕｔ＝Ｖ１ｆａｎとなるようにオフセット電圧Ｖｏｆｆｓｅｔが設定されるので、式７は以下の式８に変形される。
【数５】
2010093215.tif 000006
【００３５】
さらに、式８をオフセット電圧Ｖｏｆｆｓｅｔについて展開すると、以下の式９に変形される。
【数６】
2010093215.tif 000007
【００３６】
以下、具体的なオフセット電圧Ｖｏｆｆｓｅｔを計算する。まず、式７に基づいて以下の式１０が得られる。
Ｇ＝Ｖｏｕｔ／Ｖｉｎ＝Ｖｏｕｔ／（Ｖｓ＋Ｖｏｆｆｓｅｔ）＝（Ｒ１＋Ｒ２）／２Ｒ１  （式１０）
上記の通り、Ｖ１ｆａｎ＝６Ｖ、Ｖ２ｆａｎ＝１２Ｖである場合、利得Ｇ＝６であるので、（Ｒ１＋Ｒ２）／２Ｒ１＝６であり、Ｒ２＝１１Ｒ１となる。さらに、Ｖ１ｆａｎ＝６のときにＶｓ＝０．６であるので、これらを式９に代入すると、オフセット電圧Ｖｏｆｆｓｅｔは１−０．６＝０．４Ｖに決定される。
【００３７】
以上のように、増幅回路４の利得Ｇとオフセット電圧Ｖｏｆｆｓｅｔを設定することによって、温度Ｔ１〜Ｔ２の範囲においてファン５の回転速度を連続的に（比例して）変化させることができる。
【００３８】
次に、本発明の別の好ましい実施形態によるファン制御装置１１を説明する。図３は、ファン制御装置１１を示す概略回路図である。ファン制御装置１１は、図１のファン制御装置１と比較して、オペアンプＯＰ１の代わりに、電流を流すことができるパワーオペアンプＯＰ２が採用されている。そのため、ファン駆動電圧Ｖｏｕｔに応じてファン５に電流を流すためのトランジスタＱ１が設けられていない。その他の構成は、図１のファン制御装置１と同じであるので、説明を援用する。
【００３９】
以上、本発明の好ましい実施形態を説明したが、本発明はこれらの実施形態には限定されない。
【産業上の利用可能性】
【００４０】
本発明は、オーディオ機器やＰＣ等に好適に採用され得る。
【図面の簡単な説明】
【００４１】
【図１】本発明の好ましい実施形態によるファン制御装置１を示す概略回路図である。
【図２】温度センサの出力電圧Ｖｓと増幅回路４の出力電圧Ｖｏｕｔとの関係を示す図である。
【図３】本発明の別の好ましい実施形態によるファン制御装置１１を示す概略回路図である。
【符号の説明】
【００４２】
１              ファン制御装置
２              温度センサ
３              加算回路
４              増幅回路
５              ファン
１１            ファン制御装置
【図１】
2010093215.tif 000009
【図２】
2010093215.tif 000010
【図３】
2010093215.tif 000011